(57)【特許請求の範囲】
【請求項１】
エアドライヤー（３０）とフィルター（４０Ａ）を、圧縮空気が上流から流入し下流から流出するように圧縮空気配管（９２ａ、９２ｂ、９３、９４ａ、９４ｂ、９４ｃ）で接続し、前記エアドライヤー（３０）に連通している第二の圧縮空気配管（９２ｂ）を第一のＴ型の継手（１０１）を介して第一の圧縮空気配管（９２ａ）に接続し、前記フィルター（４０Ａ）に連通している第五の圧縮空気配管（９４ｂ）を第二のＴ型の継手（１０３）を介している第六の圧縮空気配管（９４ｃ）に接続し、第二の前記圧縮空気配管（９２ｂ）を前記エアドライヤー（３０）の上部に立設して固定するとともに第二の前記圧縮空気配管（９２ｂ）に接続された第一の前記Ｔ型の継手（１０１）に丸棒（１０２）を介して第二の前記Ｔ型の継手（１０３）を固定することで、前記フィルター（４０Ａ）のみと配管を含め関連する機器を前記エアドライヤー（３０）の上部に固定して配設し、更に前記エアドライヤー（３０）と前記フィルター（４０Ａ）で圧縮空気より発生したドレン水を流すドレン配管（１２１、１２２、１２３、１２４、１３１ａ、１３１ｂ、１３２ａ、１３２ｂ、１３３ａ、１３３ｂ、１３４ａ、１３４ｂ）を介して下流ではドレン水を集めて流出するようにしたドレン集合管（１４０）で接続し、これ等を一体に構成したことを特徴とするフィルター付エアドライヤー。
【請求項２】
エアドライヤー（３０）とフィルター（４０Ａ）を、圧縮空気が上流から流入し下流から流出するように圧縮空気配管（９２ａ、９２ｂａ、９２ｂｂ、９３、９３ａ、９３ｂ、９３ｃ、９３ｄ、９４ａ、９４ｂａ、９４ｂｂ、９４ｃ）で接続し、更に前記エアドライヤー（３０）と前記フィルター（４０Ａ）で圧縮空気より発生したドレン水を流すドレン配管（１２１、１２２、１２３、１２４、１３１ａ、１３１ｂ、１３２ａ、１３２ｂ、１３３ａ、１３３ｂ、１３４ａ、１３４ｂ）を介して下流ではドレン水を集めて流出するようにしたドレン集合管（１４０Ａ）で接続し、前記エアドライヤー（３０）と前記フィルター（４０Ａ）に異常が発生した場合に、圧縮空気が前記エアドライヤー（３０）と前記フィルター（４０Ａ）を通過しないようにバイパス回路（１７１ａ、１７１ｂ、１７３ａ、１７３ｂ、１７３ｃ、１７３ｄ、９３ｚ）を設け、これ等を一体に構成したことを特徴とするフィルター付エアドライヤー。
【請求項３】
前記バイパス回路（１７１ａ、１７１ｂ）は、常に圧縮空気が前記エアドライヤー（３０）と前記フィルター（４０Ａ）の両方を通過しないように設けたことを特徴とする請求項２に記載のフィルター付エアドライヤー。
【請求項４】
前記バイパス回路（１７３ａ、１７３ｂ、１７３ｃ、１７３ｄ、９３ｚ）は、常に圧縮空気が前記エアドライヤー（３０）と前記フィルター（４０Ａ）のうちの異常が発生した機器だけを通過しないように設けたことを特徴とする請求項２に記載のフィルター付エアドライヤー。
【発明の詳細な説明】
【０００１】
【発明の属する技術分野】
本発明は、フィルター付エアドライヤーに関する技術であって、更に詳細に述べると、圧縮空気を乾燥した清浄な状態にする為に常に使用しているエアドライヤーとフィルターを、その働きに示す通り関連する機器と共に一体にし、同時に、エアドライヤーやフィルターが何等かの故障を発生した際に、その故障に際してエアドライヤーやフィルターを使用した装置の停止時間を少なくすることと修理の利便性に配慮した技術に関するものである。
【０００２】
【従来の技術】
従来の、エアドライヤーやエアフィルターを使用する技術としては、図５に見られるように、エアコンプレッサ１０が大気３０１を吸引することで作り出した圧縮空気を、圧縮空気配管９１、９２、９３、９４の途中に圧縮空気を貯蔵するエアタンク２０や圧縮空気を乾燥させるエアドライヤー３０や圧縮空気より各種の異物を除去するエアフィルター４０やそれらに関連する機器を個々に配設することで、乾いたきれいな圧縮空気３０４をエアシリンダーやエアモータ等の各種の空圧機器に安定して供給していた。
【０００３】
一方、エアタンク２０やエアドライヤー３０やエアフィルター４０で圧縮空気より発生したドレン水は、各々ドレン配管１１１、１２１、１３１と弁７１、７２、７３とドレン配管１１２、１２２、１３２とドレントラップ８１、８２、８３とドレン配管１１５、１２５、１３５を経由して集合管１４０に集められ、油水分離装置５０に於いて油を中心とする異物を分離する処理が成され、清水排出管１５０から清水３１５として排出していた。
【０００４】
【発明が解決しようとする課題】
しかしながら、このような従来の、エアドライヤーやエアフィルターを使用する技術には、以下に示すような課題があった。
【０００５】
第一に、エアコンプレッサやエアタンクやエアドライヤーやエアフィルターや油水分離装置や、従来の技術に示していないアフタークーラーや清水確認装置、及びこれらの機器に関連する配管等の各種機器も含め、構成している機器に関してはどんなに小さい機器でも設置場所を考慮する必要が有るが、従来は、使用する側の希望に沿って装置の構成を定めていくと、結果的には広い設置場所を必要としていた。
【０００６】
第二に、構成している機器の数が多い為に、新設の際には、配管の工事を含め、設置にかなりの手間と時間を要していた。  また、機器の数が多い分、運搬等の準備作業も大変であった。  従って、これ等の費用が全て設備を新設する費用に加算されていた。
【０００７】
第三に、エアドライヤーやエアフィルターに何等かの事故が発生した場合には、事故の際のその対応まで配慮されていなかった為に、長時間の間装置を停止している場合があった。  特に、エアドライヤーの事故がエアフィルターの異常に連なることが多く、両方の機器が同時という事故の場合、対応に要する時間もより長くなっていた。
本発明はこのような課題を解決することを目的としている。
【０００８】
【課題を解決するための手段】
本発明は、エアドライヤー３０とフィルター４０Ａを、圧縮空気が上流から流入し下流から流出するように圧縮空気配管９２ａ、９２ｂ、９３、９４ａ、９４ｂ、９４ｃで接続し、前記エアドライヤー３０に連通している第二の圧縮空気配管９２ｂを第一のＴ型の継手１０１を介して第一の圧縮空気配管９２ａに接続し、前記フィルター４０Ａに連通している第五の圧縮空気配管９４ｂを第二のＴ型の継手１０３を介している第六の圧縮空気配管９４ｃに接続し、第二の前記圧縮空気配管９２ｂを前記エアドライヤー３０の上部に立設して固定するとともに第二の前記圧縮空気配管９２ｂに接続された第一の前記Ｔ型の継手１０１に丸棒１０２を介して第二の前記Ｔ型の継手１０３を固定することで、前記フィルター４０Ａのみと配管を含め関連する機器を前記エアドライヤー３０の上部に固定して配設し、更に前記エアドライヤー３０と前記フィルター４０Ａで圧縮空気より発生したドレン水を流すドレン配管１２１、１２２、１２３、１２４、１３１ａ、１３１ｂ、１３２ａ、１３２ｂ、１３３ａ、１３３ｂ、１３４ａ、１３４ｂを介して下流ではドレン水を集めて流出するようにしたドレン集合管１４０で接続し、これ等を一体に構成したことを特徴とし、更には、エアドライヤー３０とフィルター４０Ａを、圧縮空気が上流から流入し下流から流出するように圧縮空気配管９２ａ、９２ｂａ、９２ｂｂ、９３、９３ａ、９３ｂ、９３ｃ、９３ｄ、９４ａ、９４ｂａ、９４ｂｂ、９４ｃで接続し、更に前記エアドライヤー３０と前記フィルター４０Ａで圧縮空気より発生したドレン水を流すドレン配管１２１、１２２、１２３、１２４、１３１ａ、１３１ｂ、１３２ａ、１３２ｂ、１３３ａ、１３３ｂ、１３４ａ、１３４ｂを介して下流ではドレン水を集めて流出するようにしたドレン集合管１４０Ａで接続し、前記エアドライヤー３０と前記フィルター４０Ａに異常が発生した場合に、圧縮空気が前記エアドライヤー３０と前記フィルター４０Ａを通過しないようにバイパス回路１７１ａ、１７１ｂ、１７３ａ、１７３ｂ、１７３ｃ、１７３ｄ、９３ｚを設け、これ等を一体に構成したことを特徴とし、更には、前記バイパス回路１７１ａ、１７１ｂは、常に圧縮空気が前記エアドライヤー３０と前記フィルター４０Ａの両方を通過しないように設けたことを特徴とし、更には、前記バイパス回路１７３ａ、１７３ｂ、１７３ｃ、１７３ｄ、９３ｚは、常に圧縮空気が前記エアドライヤー３０と前記フィルター４０Ａのうちの異常が発生した機器だけを通過しないように設けたことを特徴とすることによって、上記課題を解決した。
【０００９】
【発明の実施の形態】
本願発明による、フィルター付エアドライヤーの実施の形態を図面と共に詳細に説明する。
ここで、図１は、本願発明によるフィルター付エアドライヤーの一つの実施例を示した図であり、図２は、本願発明によるフィルター付エアドライヤーの回路図で示した別の第一実施例であり、図３は、本願発明によるフィルター付エアドライヤーの回路図で示した別の第二実施例であり、図４は、本願発明によるフィルター付エアドライヤーの回路図で示した別の第三実施例である。
【００１０】
（一つの実施例）
図１で、３０はエアドライヤーであり、図１に示していない部分の前後の機器の接続に関しては、従来技術を示した図５に見られるように、先ず、エアコンプレッサ１０が大気３０１を吸引することによって作り出した圧縮空気を圧縮空気配管９１を経由してエアタンク２０に貯蔵し、貯蔵した圧縮空気をエアドライヤー３０に送り込むようになっている。  この場合、図５では、圧縮空気配管９２によって圧縮空気をエアドライヤー３０に送り込むようになっているが、本願発明を示した図１では、圧縮空気配管９２ａ、９２ｂを経由して圧縮空気をエアドライヤー３０に送り込むようになっている。
【００１１】
ここで、図１に見られるように本願発明は、エアドライヤー３０に送り込まれた圧縮空気は水分を取り除かれた後、圧縮空気配管９３、９４ａ、９４ｂ、９４ｃの途中に配設した、プレフィルター４０ａ及びラインフィルター４０ｂより成るフィルター４０Ａを経由させることで各種の異物を取り除き、圧縮空気配管９４ｃの下流でエアシリンダーやエアモータ等の各種の空圧機器が円滑に作動するように乾いたきれいな圧縮空気３０３を安定して供給していている。
【００１２】
尚、フィルター４０Ａを構成しているプレフィルター４０ａとラインフィルター４０ｂの配列としては、その順に従って粗い濾化性能を持ったものから細かい濾化性能を持ったものを配設している。  また、フィルター４０Ａの構成としては、図１では二つの構成のものを示しているが、三つの構成も、それ以上の構成も考えられる
【００１３】
この場合、本願発明では、圧縮空気配管９２ａ、９４ｂと圧縮空気配管９２ｂ、９４ｃの間に形成された接続部１０１、１０３にＴ形の継手を配設し、このＴ形の継手の各々の一流路部に丸棒１０２を配設することによって、流路を密閉すると同時に、空中に不安定に位置している圧縮空気配管９４ｃを固定する役目もしている。
【００１４】
尚、エアドライヤー３０としては、アフタークーラが内蔵される場合も考えられる。  また、エアドライヤー３０は、本願発明では冷凍式のものを考えているが、中空糸によるものや、乾燥剤によるもの等、その他の方式によるものでもかまわない。
【００１５】
一方、エアドライヤー３０と、フィルター４０Ａを構成しているプレフィルター４０ａとラインフィルター４０ｂから、特にエアドライヤー３０から圧縮空気よりドレン水が発生する。  従って、従来技術を示した図５に見られるように、発生したドレン水を河川等にそのまま排出しても問題の無い清水となるように油水分離装置５０に送り込む必要があり、その為に発生しているドレン水をドレン集合管１４０にまとめている。
【００１６】
即ち、エアドライヤー３０には発生したドレン水を流す為に、ドレン配管１２１と管路を開閉する弁７２とドレン配管１２２とドレン水と圧縮空気を一緒に排出するドレントラップ８２とドレン配管１２３と逆止弁６２とドレン配管１２４を配設して集合管１４０に接続している。
【００１７】
従って、逆止弁６２の配設によって、ドレン配管１２４からドレン配管１２３にドレンが逆流することを防止している。  即ち、逆止弁６２を通過したドレンはエアドライヤー３０側に戻る心配は無い。
【００１８】
尚、エアドライヤー３０に接続しているドレン配管１２３、１２４の間に配設した逆止弁６２に関しては、圧縮空気を作り出している源であるエアコンプレッサからの圧縮空気の流れる順序と途中の各種配管や機器による圧力損失を考慮すると、エアドライヤー３０内の圧縮空気の圧力は圧縮空気の流れる順序としては下流にあるプレフィルター４０ａやラインフィルター４０ｂ内の圧縮空気の圧力より高いということから、除去してもかまわない。
【００１９】
また、プレフィルター４０ａには発生したドレン水を流す為にその下部に、ドレン配管１３１ａと管路を開閉する弁７３ａとドレン配管１３２ａとドレンを場合によってはドレンと圧縮空気を一緒に排出するドレントラップ８３ａとドレン配管１３３ａと逆止弁６３ａとドレン配管１３４ａを配設して、集合管１４０に接続している。
【００２０】
更に、ラインフィルター４０ｂには発生したドレン水を流す為にその下部に、ドレン配管１３１ｂと管路を開閉する弁７３ｂとドレン配管１３２ｂとドレンを場合によってはドレンと圧縮空気を一緒に排出するドレントラップ８３ｂとドレン配管１３３ｂと逆止弁６３ｂとドレン配管１３４ｂを配設して、集合管１４０に接続している。
【００２１】
従って、逆止弁６３ａ、６３ｂの配設によって、ドレン配管１３４ａ、１３４ｂからドレン配管１３３ａ、１３３ｂにドレンが逆流することを確実に防止している。  即ち、逆止弁６３ａ、６３ｂを通過したドレンはエアドライヤー３０側に戻る心配は無い。
【００２２】
この様に、エアドライヤー３０と、フィルター４０Ａを構成しているプレフィルター４０ａとラインフィルター４０ｂから、圧縮空気より発生したドレン水を集合管１４０に集めることで、集合されたドレン水３１３は、従来技術を示した図５に見られる油水分離装置５０で容易に処理可能になっている。
【００２３】
今迄説明した、図１に示された、エアドライヤー３０と、プレフィルター４０ａとラインフィルター４０ｂより構成されるフィルター４０Ａと、圧縮空気配管９２ａ、９２ｂ、９３、９４ａ、９４ｂ、９４ｃと、ドレン配管１２１、１２２、１２３、１２４、１３１ａ、１３１ｂ、１３２ａ、１３２ｂ、１３３ａ、１３３ｂ、１３４ａ、１３４ｂと、弁７２、７３ａ、７３ｂと、ドレントラップ８２、８３ａ、８３ｂと、逆止弁６２、６３ａ、６３ｂと、ドレン集合管１４０と、接続部１０１、１０３に形成したＴ形の継手と、丸棒１０２の全機器を一体にして台２００に固定された状態で構成している。
【００２４】
即ち、本願発明によって、エアドライヤー３０と、プレフィルター４０ａとラインフィルター４０ｂより構成されるフィルター４０Ａが、両者一体となって、配管等の関連する機器も含めてあたかも一つの機器であるような構成としたのである。  この様に一体化することによって、乾燥した清浄な圧縮空気を作り出す装置を設置しようとするユーザーは、数多くの機器を個々に選択する必要がなくなった。
【００２５】
但し、固定する位置としては、図１では、台２００はエアドライヤー３０の下部に示されているが、台２００が無い場合や、フィルター４０Ａがエアドライヤー３０の上部に位置するのでは無くフィルター４０Ａとエアドライヤー３０が並行に位置したりする場合等、色々な配置が考えられる。  当然、台２００の形状も色々と変化する可能性は有る。
【００２６】
本発明による、フィルター付エアドライヤーは、前述したように構成されており、以下に、その動作について説明する。
【００２７】
先ず、乾燥した清浄な圧縮空気を作りだし、その圧縮空気より発生したドレン水も清水とする装置を設置しようとする場合、エアコンプレッサと、本願発明によるフィルター付エアドライヤーと、油水分離装置を準備して、圧縮空気配管９２ａの部分でエアコンプレッサに、ドレン集合管１４０のドレン水が集まった部分で油水分離装置に接続することで装置が準備される。  この場合、エアコンプレッサとフィルター付エアドライヤーと油水分離装置の三点より構成される本装置は、必要最小限のものであるが、乾燥した清浄な圧縮空気を作りだしその圧縮空気より発生したドレン水も清水として排出するという目的は十分に達成出来る装置となる。
【００２８】
ここで、準備された装置を作動させることによって、エアコンプレッサで作り出された圧縮空気が、本願発明のフィルター付エアドライヤーを通過すると、圧縮空気は、エアドライヤー３０と、プレフィルター４０ａとラインフィルター４０ｂより構成されるフィルター４０Ａを通過することで、乾燥した清浄な圧縮空気３０３となるが、同時にドレン水３１３を発生する。  この場合、発生したドレン水３１３は、エアドライヤー３０とプレフィルター４０ａとラインフィルター４０ｂで発生したドレン水がすべて集められたものである。
【００２９】
また、エアドライヤー３０とプレフィルター４０ａとラインフィルター４０ｂで発生したドレン水は、ドレン配管１２１、１３１ａ、１３１ｂと、弁７２、７３ａ、７３ｂと、ドレン配管１２２、１３２ａ、１３２ｂと、ドレントラップ８２、８３ａ、８３ｂと、ドレン配管１２３、１３３ａ、１３３ｂと逆止弁６２、６３ａ、６３ｂとドレン配管１２４、１３４ａ、１３４ｂを経由して集合管１４０に集められる。
【００３０】
尚、ドレントラップ８２、８３ａ、８３ｂは、ドレンを圧縮空気と共に排出するようになっている。  更に、逆止弁６２、６３ａ、６３ｂを配設することによって、集合管１４０に集められたドレン水が集合管１４０の側からエアドライヤー３０の側に逆流してくる恐れは無い。
【００３１】
（別の第一実施例）
図２で、図１に示した（一つの実施例）と異なる点は、（一つの実施例）のドレン集合管１４０に代えてドレン集合管１４０Ａを配設し、このドレン集合管１４０Ａに合流部１４１を形成し、ドレン配管１６４と逆止弁６４を接続したことである。  この事によって、エアドライヤー３０とフィルター４０Ａを構成しているプレフィルター４０ａとラインフィルター４０ｂ以外のドレン水を発生するエアタンクやアフタークーラー等の機器の接続も容易となった。  この場合も、図２には具体的に示されていないが、図１に示されている丸棒１０２も含めて、図２に示されている全構成機器が一体となっていることが本願発明の特徴となっているのである。
【００３２】
尚、動作については、エアドライヤー３０とフィルター４０Ａを構成しているプレフィルター４０ａとラインフィルター４０ｂ以外のドレン水を発生する機器からもドレン水を受け入れることが可能ということを除いては同じであるので、具体的な内容は省略する。
【００３３】
（別の第二実施例）
図３で、図２に示した（別の第一実施例）と異なる点は、バイパス回路１７１ａ、１７１ｂを設けていることと、バイパス回路１７１ａとバイパス回路１７１ｂの途中と、圧縮空気配管９２ｂａ、９４ｂａと圧縮空気配管９２ｂｂ、９４ｂｂの途中に、弁１９２、１９１、１９３を配設したことである。  この場合、バイパス回路１７１ａ、１７１ｂは、（一つの実施例）と（別の第一実施例）に示した丸棒１０２に代えて配設していて、同様に圧縮空気配管９４ｃを固定する目的も兼ね備えている。
【００３４】
この、バイパス回路１７１ａ、１７１ｂと弁１９２、１９１、１９３を配設することによって、通常は、弁１９２を閉鎖し弁１９１、１９３を開放することでエアドライヤー３０とフィルター４０Ａが使用可能の状態になり、エアドライヤー３０とフィルター４０Ａに何等かの異常が発生した場合には、弁１９２を開放し弁１９１、１９３を閉鎖することで、当面の装置の使用を可能にするものである。
【００３５】
尚、動作については、エアドライヤー３０とフィルター４０Ａを構成しているプレフィルター４０ａとラインフィルター４０ｂに異常が発生した場合には、バイパス回路１７１ａ、１７１ｂを経由させる。  それ以外については、（別の第一実施例）と同じであるので、具体的な内容は省略する。
【００３６】
（別の第三実施例）
図４で、図２に示した（別の第一実施例）と異なる点は、バイパス回路１７３ａ、１７３ｂ、１７３ｃ、１７３ｄ、９３ｚを設けていることと、バイパス回路１７３ａ、１７３ｃとバイパス回路１７３ｂ、１７３ｄの途中と、圧縮空気配管９２ｂａ、９３ａ、９３ｃ、９４ｂａと圧縮空気配管９２ｂｂ、９３ｂ、９３ｄ、９４ｂｂの途中に、弁１９５、１９８、１９１、１９６、１９７、１９３を配設したことである。
【００３７】
この、バイパス回路１７３ａ、１７３ｂ、１７３ｃ、１７３ｄ、９３ｚと弁１９５、１９８、１９１、１９６、１９７、１９３を配設することによって、通常は、弁１９５、１９８を閉鎖し弁１９１、１９６、１９７、１９３を開放することでエアドライヤー３０とフィルター４０Ａが使用可能の状態になる。  一方、エアドライヤー３０に何等かの異常が発生した場合には、弁１９５、１９７、１９３を開放し弁１９１、１９６、１９８を閉鎖することで、当面の装置の使用を可能にするものであり、フィルター４０Ａに何等かの異常が発生した場合には、弁１９１、１９６、１９８を開放し弁１９５、１９７、１９３を閉鎖することで、当面の装置の使用を可能にするものであり、エアドライヤー３０とフィルター４０Ａの両方に何等かの異常が発生した場合には、弁１９５、１９８を開放し弁１９１、１９６、１９７、１９３を閉鎖することで、当面の装置の使用を可能にするものである。
【００３８】
この場合も、バイパス回路１７３ａ、１７３ｂ、１７３ｃ、１７３ｄ、９３ｚが、（一つの実施例）と（別の第一実施例）に示した丸棒１０２に代えて配設していて、同時に圧縮空気配管９４ｃを固定する目的も兼ね備えている。
【００３９】
尚、動作については、エアドライヤー３０とフィルター４０Ａを構成しているプレフィルター４０ａとラインフィルター４０ｂに異常が発生した場合には、状況に応じてバイパス回路１７３ａ、１７３ｂ、１７３ｃ、１７３ｄ、９３ｚを経由させる。  それ以外については、（別の第一実施例）と同じであるので、具体的な内容は省略する。
【００４０】
ここで、（別の第三実施例）の変形として、エアドライヤー３０とフィルター４０Ａの何れか一方だけの異常の対応のために、バイパス回路１７３ｃをバイパス回路１７３ｂとバイパス回路９３ｚの間に接続するのではなく、圧縮空気配管９３ａのいずれかの部分に接続することも考えられ、この場合は、弁１９７は有っても無くても良い。  また、バイパス回路１７３ｂをバイパス回路１７３ｃとバイパス回路９３ｚの間に接続するのではなく、圧縮空気配管９３ｄのいずれかの部分に接続することも考えられ、この場合は、弁１９６は有っても無くても良い。
【００４１】
また、フィルター４０Ａを構成しているプレフィルター４０ａとラインフィルター４０ｂを、両者まとめてで無く、個々に作動可能なバイパス回路も考えられる。
【００４２】
【発明の効果】
以上の説明から明らかなように、本発明により、下記のような効果をあげることができる。
【００４３】
第一に、エアドライヤーと、プレフィルターやラインフィルターによって構成されるフィルターと、これ等の機器に関連する配管等の機器を全て一体にすることで、設置場所の選択に苦労するようなことは解消された。  特に、小さい機器ほど設置場所の選択に苦労していたが、エアドライヤーの上部等に一体に構成することで、エアドライヤーを設置すれば装置の大半は設置を完了したようになった。  また、コストの面でも安価な装置が可能となった。
【００４４】
第二に、ドリン集合管に合流部を設けることで、通常使用しているエアドライヤーやフィルター以外のドレン水を発生する機器の接続も容易に対応可能な装置となった。
【００４５】
第三に、エアコンプレッサと、フィルター付エアドライヤーと、油水分離装置を準備するだけで、乾燥した綺麗な圧縮空気と、油を含む各種の異物を分離した清水が排出されるという、環境に優しい装置が可能となった。  従って、設備を新設するに当たっての工事も、相互の配管をするだけで容易であり、３種類の機器を自由に配置するという自由度も持ち備えていた。
【００４６】
第四に、バイパス回路を設けることで、エアドライヤーやフィルターに異常が発生した際にも装置全体を休止させることが不要となった。
【図面の簡単な説明】
【図１】本願発明によるフィルター付エアドライヤーの一つの実施例を示した図
【図２】本願発明によるフィルター付エアドライヤーの回路図で示した別の第一実施例
【図３】本願発明によるフィルター付エアドライヤーの回路図で示した別の第二実施例
【図４】本願発明によるフィルター付エアドライヤーの回路図で示した別の第三実施例
【図５】従来のフィルターやエアドライヤーを使用している全体の回路図
【符号の説明】
１０・・・・・エアコンプレッサ
２０・・・・・エアタンク
３０・・・・・エアドライヤー
４０・・・・・エアフィルター
４０Ａ・・・・フィルター
４０ａ・・・・プレフィルター
４０ｂ・・・・ラインフィルター
５０・・・・・油水分離装置
６２・・・・・逆止弁
６３ａ・・・・逆止弁
６３ｂ・・・・逆止弁
６４・・・・・逆止弁
７１・・・・・弁
７２・・・・・弁
７３・・・・・弁
７３ａ・・・・弁
７３ｂ・・・・弁
８１・・・・・ドレントラップ
８２・・・・・ドレントラップ
８３・・・・・ドレントラップ
８３ａ・・・・ドレントラップ
８３ｂ・・・・ドレントラップ
９１・・・・・圧縮空気配管
９２・・・・・圧縮空気配管
９２ａ・・・・圧縮空気配管
９２ｂ・・・・圧縮空気配管
９２ｂａ・・・圧縮空気配管
９２ｂｂ・・・圧縮空気配管
９３・・・・・圧縮空気配管
９３ａ・・・・圧縮空気配管
９３ｂ・・・・圧縮空気配管
９３ｃ・・・・圧縮空気配管
９３ｄ・・・・圧縮空気配管
９３ｚ・・・・バイパス回路
９４・・・・・圧縮空気配管
９４ａ・・・・圧縮空気配管
９４ｂ・・・・圧縮空気配管
９４ｂａ・・・圧縮空気配管
９４ｂｂ・・・圧縮空気配管
９４ｃ・・・・圧縮空気配管
１０１・・・・接続部（Ｔ形の継手）
１０２・・・・丸棒
１０３・・・・接続部（Ｔ形の継手）
１１１・・・・ドレン配管
１１２・・・・ドレン配管
１１５・・・・ドレン配管
１２１・・・・ドレン配管
１２２・・・・ドレン配管
１２３・・・・ドレン配管
１２４・・・・ドレン配管
１２５・・・・ドレン配管
１３１・・・・ドレン配管
１３１ａ・・・ドレン配管
１３１ｂ・・・ドレン配管
１３２・・・・ドレン配管
１３２ａ・・・ドレン配管
１３２ｂ・・・ドレン配管
１３３ａ・・・ドレン配管
１３３ｂ・・・ドレン配管
１３４ａ・・・ドレン配管
１３４ｂ・・・ドレン配管
１３５・・・・ドレン配管
１４０・・・・ドレン集合管
１４０Ａ・・・ドレン集合管
１４１・・・・合流部
１５０・・・・清水排出管
１６４・・・・ドレン配管
１７１ａ・・・バイパス回路
１７１ｂ・・・バイパス回路
１７３ａ・・・バイパス回路
１７３ｂ・・・バイパス回路
１７３ｃ・・・バイパス回路
１７３ｄ・・・バイパス回路
１９１・・・・弁
１９２・・・・弁
１９３・・・・弁
１９５・・・・弁
１９６・・・・弁
１９７・・・・弁
１９８・・・・弁
２００・・・・台
３０１・・・・大気
３０３・・・・圧縮空気
３０４・・・・圧縮空気
３１３・・・・ドレン水
３１５・・・・清水
【図１】
0003747278.tif 000002
【図２】
0003747278.tif 000003
【図３】
0003747278.tif 000004
【図４】
0003747278.tif 000005
【図５】
0003747278.tif 000006